(57)【要約】      （修正有）【課題】クラウン部の通気性を確保することのできるつば付き帽子を提供する。【解決手段】クラウン部２の下端周縁部に環状つば部３の内周縁部を縫製したつば付き帽子１において、クラウン部２が、目の粗いメッシュ生地から形成される略半円筒状の一半部２Ａと、目の細かいメッシュ生地から形成される略半円筒状の他半部２Ｂとの対向する端縁部を縫製して略円筒状に形成される。このため、クラウン部２の一半部２Ａを形成する目の粗いメッシュ生地によってクラウン部の通気性を確保することができ、熱がこもることによる蒸れの発生を防止できる。【選択図】図１
0003162965.tif 000002
【実用新案登録請求の範囲】
【請求項１】
クラウン部の下端周縁部に環状つば部の内周縁部を縫製したつば付き帽子において、クラウン部が、目の粗いメッシュ生地から形成される略半円筒状の一半部と、目の細かいメッシュ生地から形成される略半円筒状の他半部との対向する端縁部を縫製して略円筒状に形成されることを特徴とするつば付き帽子。
【請求項２】
請求項１記載のつば付き帽子において、前記クラウン部の左右各側方下部に日除けたれを取り付けるための留め具を設けることを特徴とするつば付き帽子。
【考案の詳細な説明】
【技術分野】
【０００１】
この考案は、つば付き帽子に関するものである。
【背景技術】
【０００２】
一般に、つば付き帽子は、色柄模様、デザイン、素材を組み合わせて生産され、ユーザーは、多種多様な帽子のなかから嗜好や季節などに適合した特定の色柄模様、デザイン、素材を選択し、購入するようにしている。
【考案の概要】
【考案が解決しようとする課題】
【０００３】
ところで、子供用野球帽のクラウン部に鳩目による複数の通気口を形成したものが見受けられるが、通気性は十分ではなく、頭部にこもった熱によって蒸れるという欠点があった。一方、ファッション性の高い婦人用のつば付き帽子においては、通気性は考慮されておらず、アウトドア、ウォーキングなどにおいて、特に夏期において、熱がこもることによる蒸れの発生を避けることができないものであった。
【０００４】
本考案は、このような問題点に鑑みてなされたもので、クラウン部の通気性を確保することのできるつば付き帽子を提供するものである。
【課題を解決するための手段】
【０００５】
本考案は、クラウン部の下端周縁部に環状つば部の内周縁部を縫製したつば付き帽子において、クラウン部が、目の粗いメッシュ生地から形成される略半円筒状の一半部と、目の細かいメッシュ生地から形成される略半円筒状の他半部との対向する端縁部を縫製して略円筒状に形成されることを特徴とするものである。
【０００６】
本考案によれば、つば付き帽子において、クラウン部の一半部が目の粗いメッシュ生地によって形成されることにより、クラウン部の通気性を確保することができる。
【０００７】
この場合、クラウン部の一半部を形成する目の粗いメッシュ生地と、クラウン部の他半部を形成する目の細かいメッシュ生地とは、ファッション性を考慮して、同色、または、ほぼ同色の色彩であることが好ましい。
【０００８】
この結果、アウトドアなどにおいて、特に夏期において、クラウン部の通気性が確保されることにより、熱がこもることによる蒸れの発生を防止することができる。
【０００９】
本考案において、前記クラウン部の左右各側方下部に日除けたれを取り付けるための留め具を設けることが好ましい。これにより、留め具を利用して日除けたれを必要に応じて取り付け、あるいは、取り外すことができる。
【００１０】
この場合、日除けたれとしては、クラウン部の他半部を形成する目の細かいメッシュ生地と同一の目の細かいメッシュ生地を用いると、色彩および素材に違和感が発生せず、ファッション性に優れたものとなる。
【考案の効果】
【００１１】
本考案によれば、クラウン部の通気性を確保することができる。
【図面の簡単な説明】
【００１２】
【図１】本考案のつば付き帽子の一実施形態を示す側面図である。
【図２】図１のつば付き帽子に日除けたれを取り付けた状態を示す側面図である。
【考案を実施するための形態】
【００１３】
以下、本考案の実施の形態を図面に基づいて説明する。
【００１４】
図１には、本考案のつば付き帽子１の一実施形態が示されている。
【００１５】
このつば付き帽子１は、クラウン部２の下端周縁部に環状つば部３の内周縁部を一体に縫製して形成されている。
【００１６】
クラウン部２は、目の粗いメッシュ生地で形成された略半円筒状の一半部２Ａと、目の細かいメッシュ生地で形成された略半円筒状の他半部２Ｂとからなり、一半部２Ａおよび他半部２Ｂの対向する端縁部を縫製して略円筒状に形成されている。そして、クラウン部２の一半部２Ａを形成する目の粗いメッシュ生地と、その他半部２Ｂを形成する目の細かいメッシュ生地とは、ほぼ同色の色彩を有している。また、クラウン部２の左右側方下部、すなわち、一半部２Ａと他半部２Ｂとの縫製部の下部には、留め具、例えば、釦２１が設けられている。
【００１７】
なお、クラウン部２の他半部２Ｂを構成する目の細かいメッシュ生地の裏地には、紫外線を遮断する機能が付与されている。
【００１８】
環状つば部３は、クランク部２における一半部２Ａの下端周縁に対応する内周縁の曲率半径およびその幅に見合う外周縁の曲率半径を有する表面生地および裏面生地を重ね合わせた半周リング状の一半部３Ａと、クランク部２における他半部２Ｂの下端周縁に対応する内周縁の曲率半径およびその幅に見合う外周縁の曲率半径を有する表面生地および裏面生地を重ね合わせた半周リング状の他半部３Ｂとからなり、それらの対向する端縁部および外周縁部を縫製するとともに、一半部３Ａの重ね合わせた表面生地および裏面生地と他半部３Ｂの重ね合わせた表面生地および裏面生地とを全周にわたって一体に縫製して形成されている。
【００１９】
ここで、環状つば部３の一半部３Ａを形成する表面生地および裏面生地は、クラウン部２の一半部２Ａを形成する目の粗いメッシュ生地と同一の生地が採用され、その他半部３Ｂを形成する表面生地および裏面生地は、クラウン部２の他半部２Ｂを形成する目の細かいメッシュ生地と同一の生地が採用されている。
【００２０】
また、このつば付き帽子１には、図２に示すように、クラウン部２に設けた釦２１を利用して日除けたれ４を取り付けることができる。
【００２１】
具体的には、日除けたれ４は、クラウン部２の略半周に相当する幅と襟足を覆うことのできる高さの日除け本体４１と、日除け本体４１の上端縁に先端部をその側端縁から若干突出させて一体に縫製されたバンド４２からなり、バンド４２の両先端部には、クラウン部２に設けた釦２１に対応してボタンホール（図示せず）が形成されている。
【００２２】
この場合、日除けたれ４には、クラウン部２の他半部２Ｂを形成する目の細かいメッシュ生地と同一の生地が採用されている。
【００２３】
このようなつば付き帽子１は、図１に示すように、例えば、クランウン部２の他半部２Ｂが前半部に位置するように頭に被ることができる。この場合、後頭部側となる後半部に対応するクラウン部２の一半部２Ａは、目の粗いメッシュ生地によって形成されていることにより、通気性が確保される。したがって、アウトドアなどにおいて、特に夏期において、熱がこもることによる蒸れの発生を防止できる。
【００２４】
なお、クランウン部２の他半部２Ｂが後半部に位置するように被ることもできる。
【００２５】
一方、日差しが強く、日除けたれ４を必要とする場合は、図２に示すように、日除けたれ４を取り出し、そのバンド４２のボタンホールにクラウン部２に設けた釦２１を差し入れて取り付ければよい。これにより、首筋を含む後頭部および側頭部に対する日差しを日除けたれ４によって遮ることができ、首筋の日焼けを防止することができる。
【００２６】
なお、日差しが強くない時には、クラウン部２の釦２１から取り外して適宜保管すればよい。
【符号の説明】
【００２７】
１  帽子
２  クラウン部
２Ａ  一半部
２Ｂ  他半部
３  環状つば部
３Ａ  一半部
３Ｂ  他半部
４  日除けたれ
【図１】
0003162965.tif 000003
【図２】
0003162965.tif 000004